(57)【要約】      （修正有）【課題】測定テープが出入りする際に、同測定テープの横ぶれによって測定テープの側縁部とダンパの内側壁とが接触するが、この接触によって生ずるダンパの内側壁の傷付きを防止し、巻尺を長期に渡り安定かつ安全に使用することができる巻尺を提供する。【解決手段】ケース２内に、測定テープ５を周囲に巻き回し、同測定テープを巻き取り方向に付勢する付勢手段を内装する回転ドラムが回転自在に支持された自動巻取り式の巻尺１であって、ケース２のテープ出入り口３に配設したダンパ４における少なくとも測定テープの両側縁部に対峙する部位に、測定テープと接触し得る表面を滑らかにしたセラミックス素材からなるガイド体を設けた。【選択図】図１
0003145527.tif 000002
【実用新案登録請求の範囲】
【請求項１】
ケース内に、測定テープを周囲に巻き回し、同測定テープを巻き取り方向に付勢する付勢手段を内装する回転ドラムが回転自在に支持された自動巻取り式の巻尺であって、ケースのテープ出入り口に配設したダンパにおける少なくとも測定テープの両側縁部に対峙する部位に、測定テープと接触し得る表面を滑らかにしたセラミックス素材からなるガイド体を設けてなる巻尺。
【請求項２】
前記セラミックス素材に、ファインセラミックスを用いてなる請求項１に記載の巻尺。
【考案の詳細な説明】
【技術分野】
【０００１】
本考案は測定テープ自動巻取り式の巻尺に関し、より詳しくはケース内外に出入りする測定テープによって測定テープ出入り口部分に傷が付くのを防止できる巻尺に関する。
【背景技術】
【０００２】
従来、巻尺ケースの測定テープ出入り口には樹脂素材からなるダンパ（衝撃緩衝装置）を設けていて、測定テープがケース内に引き込まれる際に、測定テープ先端のフックが測定テープ出入り口の周囲にぶつかるときの衝突エネルギーを緩和するようにしている（例えば、特許文献１参照）。
【０００３】
ところで、測定テープがケースに出入りする際には、同測定テープが横ぶれして、測定テープの両側縁部が出入り口の左右の側壁に接触することが多く、この接触によって前記出入り口に設けたダンパの内側壁に筋状の傷が付くという問題がある。
【０００４】
上述のような筋状の傷が一度付いてしまうと、その後測定テープが出入りするときに横ぶれが生じた際、同測定テープは先に付いた傷に案内され、そして傷は測定テープとの度重なる接触によってより深く削り込まれ、最終的にはダンパが切断し、さらに破損したダンパの破片が飛び散って使用者が負傷する恐れがあった。
【０００５】
また、上述のように測定テープの側縁部が傷に案内されてダンパの傷が深く削り込まれるのに伴い、測定テープ上下面に印刷されている目盛りが同傷部との摺動により磨耗して印刷が薄れ、測定作業の際における目盛りの視認性が低下し、測定精度が低下する恐れもあった。
【０００６】
そして、上述のように目盛りが薄れてきた場合、職業的に巻尺を用いる大多数の使用者は巻尺を新品と交換してしまうので、機構的には充分使用に耐え得るすなわち耐用年数に到達していない巻尺が廃棄処分されていて、結果廃棄物の増加をもたらし、環境に優しい製品とは言い難いものであった。
【０００７】
【特許文献１】特開２００４−２５７７４号公報（第１〜１０頁、図１〜１０）
【考案の開示】
【考案が解決しようとする課題】
【０００８】
本考案は、測定テープがケースに出入りする際に同測定テープの横ぶれによって測定テープの側縁部が出入り口の左右の側壁に接触することにより生ずる同側壁の傷付きを防止して、巻尺を長期に渡り安定かつ安全に使用することができる環境に優しい巻尺を提供できるようにした。
【課題を解決するための手段】
【０００９】
上述した課題を解決するために、本考案に係る巻尺は、ケース内に、測定テープを周囲に巻き回し、同測定テープを巻き取り方向に付勢する付勢手段を内装する回転ドラムが回転自在に支持された自動巻取り式の巻尺であって、ケースのテープ出入り口に配設したダンパにおける少なくとも測定テープの両側縁部に対峙する部位に、測定テープと接触し得る表面を滑らかにしたセラミックス素材からなるガイド体を設けたものとしてある。
【００１０】
また前記セラミックス素材に、ファインセラミックスを用いたものとしてある。
【考案の効果】
【００１１】
本考案の巻尺によれば、測定テープがケースに出入りする際に同測定テープが横ぶれしても、測定テープの側縁部はケース出入り口の左右の側壁に設けたガイド体に接触し、このガイド体はセラミックス素材で構成してあるので、樹脂素材からなるダンパの側壁には傷が付くことがない。
【００１２】
そして、ダンパの内側壁に設けているガイド体は、高硬度のセラミックス素材を用い測定テープの側縁部と滑らかに接触するよう形成されているので、測定テープがケースに出入りする際に測定テープの側縁部が前記ガイド体に接触しても同側縁部はガイド体の接触面上を滑るように低摩擦で通過でき、測定テープ自体にも傷がつきにくく、したがって測定テープに表示している目盛りも長期に渡ってはっきりと見ることができて、巻尺を長期に渡り安定して使用することができる。
【００１３】
また、測定テープとの度重なる接触によるダンパの損傷や切断を防止できるので、破損したダンパの破片が飛び散ることがなく、使用者の安全も確保できる。
【考案を実施するための最良の形態】
【００１４】
本考案に係る巻尺は、図１、２に示すように、巻尺１のケース２におけるテープ出入り口３内にダンパ４を備え、同ダンパ４における測定テープ５が通過する通過路４ａ内の両側壁部分にセラミックス素材で形成したガイド体４ｂ、４ｂをそれぞれ設けているものである。
【００１５】
これらガイド体４ｂ、４ｂを設けているダンパ４の前記通過路４ａ内の両側壁（内側壁）部分は、図３に示すように、測定テープ５の側縁５ａ、５ａ部とそれぞれ対峙する部位である。
【００１６】
また、ガイド体４ｂ、４ｂの表面は非常に滑らかな面にしてあって、同表面に例えば鋼製の測定テープ５の側縁５ａ、５ａが接触した場合でも、その摩擦抵抗が小なる値になるようにしている。
【００１７】
そして、ガイド体４ｂをダンパ４の通過路４ａ内における両側壁部分に配設する際は、接着剤や両面テープ等の接着手段（図中の表示は省略）を用いて取り付け固定したり、ダンパ４を一体成形する際にガイド体４ｂを固定したりしている。
【００１８】
そのガイド体４ｂの取り付けは、例えば図４（ａ）に示すように、ガイド体４ｂの取り付け面と同ガイド体４を取り付けるダンパ４の通過路４ａ内における側壁面をそれぞれ平坦面としたり、また他には図４（ｂ）に示すように、ガイド体４ｂの取り付け面中央に形成した凸部をダンパ４の通過路４ａ内における側壁面に形成した凹部に嵌合させて、取り付けの際に位置決めを容易にできるようにしたりする。
【００１９】
またガイド体４ｂは、セラミックス素材の中でも特に硬質であるアルミナ、ジルコニア、炭化ケイ素等のファインセラミックスを用いるのがよい。
【００２０】
そして、ダンパ４の通過路４ａ内における両側壁にセラミックス素材で形成したガイド体４ｂ、４ｂを取り付けるのではなく、同ガイド体４ｂ、４ｂを取り付ける両側壁部分をファインセラミックスによって形成する場合もある。
【００２１】
なお、図中の符号６は、測定テープ５の先端に設けている測定テープ係止用のフック、符号７は、引き出した測定テープ５を所望の引き出し位置で固定するためのブレーキレバー、符号８は、巻尺１を使用者の腰ベルトに係着させる際に用いるベルトクリップである。
【図面の簡単な説明】
【００２２】
【図１】本考案に係る巻尺の斜視図。
【図２】本考案に係る巻尺を示す正面図。
【図３】ケースの測定テープ出入り口付近の一部切欠き拡大図。
【図４】ダンパの測定テープ通過方向に対する直交方向の断面図。
【図５】ダンパの一例を示す一部切欠き斜視図。
【符号の説明】
【００２３】
１  巻尺
２  ケース
３  テープ出入り口
４  ダンパ
４ａ  通過路
４ｂ  ガイド体
５  測定テープ
５ａ  側縁
６  フック
７  ブレーキレバー
８  ベルトクリップ
【図１】
0003145527.tif 000003
【図２】
0003145527.tif 000004
【図３】
0003145527.tif 000005
【図４】
0003145527.tif 000006
【図５】
0003145527.tif 000007